(57)【要約】      （修正有）【課題】  一度開封した後は、取り出し防止用溶着部での復元が困難な新品保証機能を有するディスク収納体において、更に容易に開封できるディスク収納体を提供する。【解決手段】  本発明によるディスク収納体６は、不織布シート部材１と、プラスチックシート部材２から成る。不織布シート部材１と、プラスチックシート部材２の間には、ディスク３が介在している。２つのシートは、ディスク３を囲う三辺と、ディスク３の孔の部分と重なる部分が、溶着により接着されている。溶着部５が形成されていることにより、ディスク３は容易に取り出すことができない。また、溶着部５は、破断することによりディスク３を取り出すことができるが、一度破断すると復元が困難である。【選択図】  図１
2006327598.tif 000002
【特許請求の範囲】
【請求項１】
少なくとも１枚がプラスチック製である複数枚のシート部材から成り、
ディスクを取り出すことができる開口部分を除く縁を溶着して形成されるディスク収納体において、
前記ディスクの取り出しを防止する取り出し防止用溶着部を有し、
前記取り出し防止用溶着部はディスク収納時に前記ディスクの中心部の孔が位置する前記ディスク収納体中心領域に形成されている
ことを特徴とするディスク収納体。
【発明の詳細な説明】
【技術分野】
【０００１】
本発明は、ＣＤやＤＶＤ等のディスクを収納するディスク収納体に関する。
【背景技術】
【０００２】
コンピュータ用ソフトウェアは、ＣＤやＤＶＤ等の記録媒体に記録され、説明書等と共に販売されている。ＣＤやＤＶＤ等のディスクは、一方の面にソフトウェアの情報を記録し、他方の面に内容表示等の印刷がされる。このディスクの収納体として汎用的に用いられているものは、情報の記録面側を保護する不織布製のシート部材と、内容表示等が収納体外側からも見える透明なプラスチック製のシート部材から成っている。また、この２つの部材はディスクが取り出せる開口部を除いて溶着されている（特許文献１）。
【０００３】
このような収納体は、開口部にディスク取り出し防止用溶着部を２箇所設置し、一度開封した後は、取り出し防止用接着部での復元が困難な機能を備える。これにより、販売者は新品を保証することができ、購買者は新品と中古品を見分けることができる。
【特許文献１】特開２００４−１４２７９４号公報、段落００１０〜００１３、図１
【発明の開示】
【発明が解決しようとする課題】
【０００４】
本発明は、上述した新品保証機能を維持しつつ、大量に生産されるディスク収納体の更なるコストダウンを図ることを目的とする。また、本発明は、使用者がディスク収納体を開封する際に容易に開封することができるディスク収納体を提供することを他の目的とする。
【課題を解決するための手段】
【０００５】
本発明に係るディスク収納体は、少なくとも１枚がプラスチック製である複数枚のシート部材から成り、ディスクを取り出すことができる開口部分を除く縁を溶着して形成されるディスク収納体において、前記ディスクの取り出しを防止する取り出し防止用溶着部を有し、前記取り出し防止用溶着部はディスク収納時に前記ディスクの中心部の孔が位置する前記ディスク収納体中心領域に形成されていることを特徴とする。
【発明の効果】
【０００６】
本発明によれば、従来技術と比較して、取り出し防止用溶着部がディスク中心部に集中するため、ディスク収納体生産時のコスト削減及び作業の簡易化が図れる。また、溶着部を破りディスクを取り出す際にも、開封時に加える力がわずかで済むため握力のない人でも容易に開封してディスクを取り出すことができる。
【発明を実施するための最良の形態】
【０００７】
以下、添付の図面を参照して、本発明の実施の形態を説明する。
【０００８】
図１は、本発明の実施形態に係るディスク収納体の上面図である。図２は図１のＡ−Ａ’線に沿って切断した断面図である。
【０００９】
このディスク収納体６は、ポリエチレン繊維，ポリプロピレン繊維等のプラスチック繊維からなる矩形状の不織布シート部材１と、ポリエチレンテレフタレート，ポリエチレン，ポリプロピレン等からなる透明なプラスチックシート部材２を重ね合わせて構成されている。この２枚のシート部材１，２は、溶着部４，５によって接着されている。溶着部４は、２枚のシート部材１，２の三辺の縁に設置されている。溶着部５は、ディスク取出し防止用溶着部で、ディスク収納体６にディスク３を収容した状態で、ディスク３の中心孔３ａが位置するディスク収納体６の中心部領域に設置されている。また、溶着部５は、１つの点状である。
【００１０】
次に、このように構成されたディスク収納体の効果について説明する。
【００１１】
ディスク３は、ディスク収納体６に収納され販売される。ディスク３は、溶着部５によって、容易にディスク収納体６の外に取り出せないようになっている。購買者は、溶着部５が接着されている状態であることを確認することで、ディスク３が新品であることを判別することができる。また、購買者がディスク３を使用するときには、溶着部５を破り、ディスク３を取り出すことができる。溶着部５は、ディスク収納体６の中心部に一箇所のみ設置されているため、購買者が溶着部５を破るときに加える力はわずかで済む。また、溶着部５を破り開封したディスク収納体６は、溶着部５での復元は困難である。
【００１２】
更に、このように構成されたディスク収納体６の生産工程を説明する。
【００１３】
適当な大きさに切断した不織布シート部材１と、不織布シートと同じ大きさに切断したプラスチックシート部材２を重ねる。次に、四角形の２つのシートの三辺を溶着し、溶着部４を形成する。三辺が溶着された収納体に、ディスク３を収納する。最後に、ディスク３の中心孔３ａ部分と重なるよう、収納体中心部を溶着し、溶着部５を形成する。これにより、本実施形態を実現することができる。
【００１４】
更に、他のディスク収納体６の生産工程を説明する。
【００１５】
不織布シートの上に、複数のディスク６を配置する。次に、複数のディスク３の上にプラスチックシートを重ねる。更に、複数のディスク３を囲む三辺と、複数のディスク３の孔の部分に重なるシート部分を溶着により接着する。最後に、適当な大きさになるように各ディスク収納体の間を裁断する。これにより、本実施形態を実現することができる。
【００１６】
また、本実施形態では、溶着部５をディスク３の孔の中心と重なる部分に設置したが、図３に示すように、ディスク３の孔の中心より下に設置することでも本発明を実施することができる。これにより、ディスク３のディスク収納体７内での移動を規制してディスク３をディスク収納体７内で固定することができる。
【００１７】
なお、取り出し防止用溶着部は、複数の点状であっても良い。溶着部が複数であっても、溶着部がディスク３の中心孔３ａ部分に集中していれば、溶着ヘッドの先端を分岐構造とすることにより、工程は１つの溶着部５を形成する場合と大きく変わることはない。
【００１８】
また、取り出し防止用溶着部の形状は、点状のみならず、線状、十字状，丸状等、他の形状とすることもできる。いずれも、ディスク保持能力と、開封時の破壊容易性を勘案して設定すればよい。
【図面の簡単な説明】
【００１９】
【図１】本発明の実施形態に係るディスク収納体の上面図である。
【図２】図１のＡ−Ａ’断面図である。
【図３】他の実施形態に係るディスク収納体の上面図である。
【符号の説明】
【００２０】
１…不織布シート部材、２…プラスチックシート部材、３…ディスク、４，５…溶着部、６，７…ディスク収納体。
【図１】
2006327598.tif 000003
【図２】
2006327598.tif 000004
【図３】
2006327598.tif 000005